(57)【要約】【課題】  通話用として使用したいときは通話に適した形状で、また、リモートコントローラとして使用したいときは専用のリモートコントローラと同様な形状で使用できる折畳型の携帯電話機を提供する。【解決手段】  上部筐体が前記下部筺体と成す開き角度が通話に適した第1の角度までのとき通常の携帯電話機能を提供し、前記開き角度が第1の角度を超え、第1の角度よりも大きい第2の角度に至るまでの回動を制限する回動制限部１６０と、外部機器２００を遠隔操作する遠隔送信部１７０と、前記回動制限部が前記制限を解除し、前記開き角度が第2の角度になったとき、遠隔操作を優先的に動作させる制御部１９０とを備える。【選択図】  図１
2005333563.tif 000002
【特許請求の範囲】
【請求項１】
上部筐体が下部筐体とヒンジにて連結され、前記上部筐体を回動させ、前記上部筐体が前記下部筺体と成す開き角度が通話に適した第1の角度までのとき通常の携帯電話機能を提供する折り畳み型の携帯電話機であって、
前記開き角度が第1の角度を超え、第1の角度よりも大きい第2の角度に至るまでの回動を制限する回動制限手段と、
外部機器を遠隔操作する遠隔操作手段と、
ユーザ操作によって前記回動制限手段の前記制限が解除され、前記開き角度が第2の角度になったとき、前記遠隔操作手段を優先的に動作させる制御手段とを備えることを特徴とする携帯電話機。
【請求項２】
前記第２の角度は、略１８０度であることを特徴とする請求項１記載の携帯電話機。
【請求項３】
前記回動制限手段は、
前記制限を解除するスイッチを有し、前記スイッチにて前記制限が解除されたとき、前記開き角度が前記第２の角度まで、前記上部筺体の回動を可能とすることを特徴とする請求項１記載の携帯電話機。
【請求項４】
前記回動制限手段は、
前記制限を解除するスイッチを有し、スイッチにより制限を解除されていないとき、前記下部筺体の端面からヒンジ側に凸設した当接部材が前記上部筺体のヒンジ固定側当接面が前記当接部材に当接して前記第１の角度に回動を制限し、スイッチにより制限を解除されたとき、前記当接部材が前記下部筺体の内部に収納され、前記上部筺体のヒンジ固定側当接面が前記下部筺体の端面と当接して上部筺体が第2の角度まで回動を可能とすることを特徴とする請求項１記載の携帯電話機。
【請求項５】
遠隔操作の対象となる外部機器の指定と当該外部機器に対する遠隔操作の指定とを受け付ける受付手段と、
一つ以上の外部機器毎に当該外部機器の遠隔操作信号の情報を記載した外部機器遠隔操作情報を記憶する記憶手段とをさらに備え、
前記遠隔操作手段は、
前記受付手段にて受け付けた外部機器が前記記憶手段の外部機器遠隔操作情報に記載されているか否かを判定する判定部と、
あると判定されたとき、前記受付手段で受け付けた当該外部機器の遠隔操作の指定に対応する当該外部機器に対する遠隔操作信号の情報を前記外部機器遠隔操作情報から読み出し、当該外部機器に送信する送信部とを有することを特徴とする請求項１記載の携帯電話機。
【請求項６】
前記外部機器遠隔操作情報を外部のサーバからダウンロードし、前記記憶手段に記憶させるダウンロード手段をさらに備えることを特徴とする請求項５記載の携帯電話機。
【発明の詳細な説明】
【技術分野】
【０００１】
本発明は、携帯電話機に関し、特に外部機器に対する遠隔操作機能を有する携帯電話機に関する。
【背景技術】
【０００２】
生活必需品である携帯電話機はますます多機能化している。その一つに携帯電話機を遠隔操作器（以下、「リモートコントローラ」という）として使用し、テレビ、クーラー等の機器（以下、外部機器という）を遠隔操作する技術が開示されている（特許文献１）。
折畳型の携帯電話機をリモートコントローラとして使用するときは、開いた状態でメニュ選択または所定のキー操作によって、リモートコントロール機能を呼出してから遠隔操作する。
【０００３】
従来の折畳型の携帯電話機では、上部筺体と下部筺体となす角度（以下、「開き角度」という）が一定の値、例えば１６０度以上には開かない構造となっている。上記の角度は、製品のサイズ、メーカ等によってやや異なるが、通話の際、上部筺体の受話部を耳に当てたとき、下部筺体の送話部が話者の声を最適な位置で受け取れるように設計されている。
【特許文献１】特開２００３−７８９７７号公報
【発明の開示】
【発明が解決しようとする課題】
【０００４】
しかし、開き角度が通話の場合には最適であっても、ストレートな形状のリモートコントローラを使い慣れた者には、携帯電話機を上記のように屈曲した形状にてリモートコントローラとして使用するには違和感がある。
本発明はかかる課題に鑑み、折畳型の携帯電話機を、通話の際には通話に適した形状で、また、リモートコントローラとして使用したいときはリモートコントローラに適した形状で使用できる携帯電話機を提供することを目的とする。
【課題を解決するための手段】
【０００５】
上記課題を解決するために本発明の携帯電話機は、上部筐体が下部筐体とヒンジにて連結され、前記上部筐体を回動させ、前記上部筐体が前記下部筺体と成す開き角度が通話に適した第1の角度までのとき通常の携帯電話機能を提供する折り畳み型の携帯電話機であって、前記開き角度が第1の角度を超え、第1の角度よりも大きい第2の角度に至るまでの回動を制限する回動制限手段と、外部機器を遠隔操作する遠隔操作手段と、ユーザ操作によって前記回動制限手段の前記制限が解除され、前記開き角度が第2の角度になったとき、前記遠隔操作手段を優先的に動作させる制御手段とを備えることとしている。
【発明の効果】
【０００６】
上記構成により、通常は上部筺体が下部筺体と成す開き角度を制限して第1の角度に開いた形状で通話用として使用する携帯電話機を、制限を解除して第２の角度に開いた状態にするとリモートコントローラとして機能するので、屈曲のより少ない専用のリモートコントローラのように使用できる。
また、前記第２の角度は、略１８０度であることとしている。
【０００７】
これにより、携帯電話機を第2の角度に開いたとき、ストレート形状の専用リモートコントローラと同様の形状で遠隔操作ができる。
また、前記回動制限手段は、前記制限を解除するスイッチを有し、前記スイッチにて前記制限が解除されたとき、前記開き角度が前記第２の角度まで、前記上部筺体の回動を可能とすることとしている。
【０００８】
これにより、スイッチ操作ひとつで携帯電話機の開き角度を第1角度までに制限するか、制限を解除して第２角度までとするかの設定ができる。
また、前記回動制限手段は、前記制限を解除するスイッチを有し、スイッチにより制限を解除されていないとき、前記下部筺体の端面からヒンジ側に凸設した当接部材が前記上部筺体のヒンジ固定側当接面が前記当接部材に当接して前記第１の角度に回動を制限し、スイッチにより制限を解除されたとき、前記当接部材が前記下部筺体の内部に収納され、前記上部筺体のヒンジ固定側当接面が前記下部筺体の端面と当接して上部筺体が第2の角度まで回動を可能とすることとしている。
【０００９】
これにより、上部筺体の回動を第1角度に制限し、あるいは解除して第2角度までとすることができる。
また、遠隔操作の対象となる外部機器の指定と当該外部機器に対する遠隔操作の指定とを受け付ける受付手段と、一つ以上の外部機器毎に当該外部機器の遠隔操作信号の情報を記載した外部機器遠隔操作情報を記憶する記憶手段とをさらに備え、前記遠隔操作手段は、前記受付手段にて受け付けた外部機器が前記記憶手段の外部機器遠隔操作情報に記載されているか否かを判定する判定部と、あると判定されたとき、前記受付手段で受け付けた当該外部機器の遠隔操作の指定に対応する当該外部機器に対する遠隔操作信号の情報を前記外部機器遠隔操作情報から読み出し、当該外部機器に送信する送信部とを有することとしている。
【００１０】
これにより、遠隔操作したい外部機器の機種の遠隔操作情報を記憶手段に登録しておけば、当該外部機器を遠隔操作することができ、また、遠隔操作したい外部機器も上記情報に登録した機種の数だけ遠隔操作の対象とできる。
また、前記外部機器遠隔操作情報を外部のサーバからダウンロードし、前記記憶手段に記憶させるダウンロード手段をさらに備えることとしている。
【００１１】
これにより、通信手段を使って、遠隔操作したい外部機器の機種の遠隔操作情報を提供するサーバから当該遠隔操作情報をダウンロードして記憶しておけば、当該外部機器を遠隔操作することができる。
【発明を実施するための最良の形態】
【００１２】
以下、本発明に係る携帯電話機である折り畳み式携帯電話機の一実施の形態について図面を用いて説明する。
図１は、本実施の形態の携帯電話機の構成を示す図である。
携帯電話機は、通信部１１０、アンテナ１１１、操作部１２０、表示部１３０、音声処理部１４０、マイク１４１、スピーカ１４２、回動制限部１５０、情報記憶部１６０、遠隔送信部１７０、制御部１９０から構成され、外部機器２００を遠隔操作する。
【００１３】
図２は、当該携帯電話機の開いた状態での正面図である。携帯電話機は、上部筺体２０１と下部筺体２０２とがヒンジ２０３により回動可能に連結されている。図２の各符合は、図１において対応する構成部があればその符号と同じものが付されている。
図１と図２とをもとに構成各部について述べる。
通信部１１０は、アンテナ１１１から伝達された、着信要求、通話音声、Web情報、受信メール等の変調信号を増幅、復調して制御部１９０に伝達し、通話音声はさらに音声処理部１４０に伝達する。また、制御部１９０から発信要求、送信メール等の信号を受け取り、変調、増幅してアンテナ１１１に伝達する。また、音声処理部１４０から伝達された当該電話機の話者の音声を、変調しアンテナ１１１を介して基地局に送信する。
【００１４】
アンテナ１１１は、不図示の通信基地局からの変調信号の電波を受信し、その変調信号を通信部１１０に伝達する。また逆に、通信部１１０からの変調信号を受け取り、通信基地局に電波送信する。
操作部１２０は、遠隔操作、メールの送受信、Webへのアクセス等のためにユーザにより操作され、操作内容を制御部１９０に伝達する。操作部１２０は、設定メニュキー１２１、外部機器電源キー１２２、十字カーソル１２３、通話キー１２４、テンキー１２５、決定キー１２６等のキーからなる。ユーザによりキーが押下されると、押下されたキーの情報を制御部１９０に伝達する。
【００１５】
表示部１３０は、例えば液晶パネルで実現され、制御部１９０の制御により、待ち受け画面、着信メッセージ、メニュ、Web情報、メール等を表示する。なお、メニュについては後述する。
音声処理部１４０は、マイク１４１から受け取った当携帯電話機の話者等の音声をAD変換し、通信部１１０および制御部１９０に伝達する。また、通信部１１０から受け取った通話相手の音声信号と、制御部１９０から受け取った着信メロディ等の音声信号とをDA変換し、スピーカ１４２に出力する。
【００１６】
回動制限部１５０は、上部筺体２０１を回動したとき、上部筺体２０１が下部筺体２０２となす開き角度は第1の角度までとし、第1の角度を超えることを制限する。回動制限部１５０は、上記制限を解除したとき、開き角度が第1の角度を超え、第2の角度に至るまで回動可能とする。
第1の角度とは、折り畳み型の携帯電話機が通話に適した通常使用される角度のことであり、１６０度あるいはその前後になるように設計されている。また、第２の角度とは、上記のように屈曲しないで、リモートコントローラと同じように上部筺体と下部筺体とが閉じたときに対向する主面がともにほぼ同一面上となる角度、つまり略１８０度のことである。
【００１７】
回動制限部１５０は、開き角度の最大値を第1の角度に制限するため、スライドスイッチ、制止部材、第2制止部材、センサ等の各種部材、およびROMに記憶されたプログラムで構成されている。スライドスイッチは開き角度の最大値を第1の角度に制限する、しないの設定を行うスイッチであり、開き角度の最大値を第1の角度に制限しているとき、スライドスイッチはオンであるといい、当該制限を解除しているとき、スライドスイッチはオフであるという。
【００１８】
図３は、折り畳んだ状態での携帯電話機の外観を示す斜視図である。
下部筺体２０２の側面のヒンジ２０３寄りの位置に、図３に示すスライドスイッチ３０５が設けられ、上部筺体２０１が回動できるようにヒンジ２０３が備えられている。また、上部筺体２０１の回動を第1の開き角度になったときに制止するための制止部材３０６が、下部筺体２０２のヒンジ側の端面３０８上に突設されている。
【００１９】
図４は、スライドスイッチ３０５の側から視た携帯電話機の側面を示す図である。
図４（a）は、携帯電話機が折り畳まれた状態での側面図である。
スライドスイッチ３０５は、ヒンジ２０３側に設定されているとき、オンであり、ヒンジ２０３と反対側に設定されているとき、スライドスイッチがオフである。
図４（a）では、スライドスイッチがオンであり、このとき制止部材３０６は下部筺体２０２から突出した状態にて固定される。この状態で、上部筺体２０１を回動させる（開く）と、図４（ｂ）の状態で示すように第1の角度４０３までは回動するが、それ以上の角度には、上部筺体２０１の下部端面３０９が制止部材３０６に当接するため回動できない。
【００２０】
また、図４（ｃ）に示すように、スライドスイッチ３０５がオフのとき、制止部材３０６は固定された状態が解除されて可動状態となり、上部筺体２０１をさらに回動したとき、制止部材３０６は上部筺体２０１の下部端面３０８により下部筺体２０２内部に押し込まれ、上部筺体２０１を開き角度が第2の角度４０４となるまで回動できる。
図５は、スライドスイッチ３０５の状態により、制止部材３０６が可動状態または固定状態となる機構を示す断面図（下部筺体２０２のヒンジ側部分のみ）である。
【００２１】
また、図６は、スライドスイッチ３０５がオフのとき、図３に示す下部筺体２０２を、その手前上側から矢符３１１の方向に透視した斜視図である。
図５（a）および図６に示すように、制止部材３０６は、下部筺体２０２に設けられた支持壁４１１の貫通部４２０を通って図５（a）の図に向かって左右方向に移動可能な連結部材４１２に固着され、２つのバネ４１０にて付勢されている。また、連結部材４１２のもう一方の側にはセンサ４１３が固着されている
スライドスイッチ３０５は、押動部材４０５に固着され、スライドスイッチ３０５の移動に伴い押動部材４０５も移動する。
【００２２】
また、回転軸４０８は、回転可能に下部筺体２０２に下部筺体２０２の短手方向に設けられ、第2制止部材４０７と被押動部材４０９とが、回転軸４０８の方向から見て直角になるように回転軸４０８に固着されている。第2制止部材４０７は、制止部材３０６に並行し、下部筺体の短手方向の長さが制止部材３０６と略同じである。また、被押動部材４０９は第2バネ４１６にて付勢されている。
【００２３】
図５（a）に示すように、スライドスイッチ３０５がオンにされると、被押動部材４０９が押動部材４０５によりヒンジ２０３側に押動され、それに伴い回転軸４０７が同図に向かって反時計周りに回転し、したがって第2制止部材４０７も同様に回転し、第2制止部材４０７の一方の端部が制止部材３０６に当接する。その結果、制止部材３０６は固定状態となる。
【００２４】
また、図５（ｂ）に示すように、スライドスイッチ３０５がオフのときは、押動部材４０５はヒンジ２０３と反対側（図の左方）に移動するため、被押動部材４０９が自由となり、圧縮されていた第2バネ４１６の復元力により、被押動部材４０９は回転軸４０８にて図に向かって時計周りに回転し、したがって第2制止部材４０７も同様に回転し、制止部材３０６に当接しなくなるため、制止部材３０６は可動状態となる。
【００２５】
図５（ｃ）に示すように、スライドスイッチ３０５がオフに設定され、制止部材３０６が可動状態のとき、上部筺体２０１を回動させると、上部筺体２０１の下部端面３０９により制止部材３０６が下部筺体２０２の内部に押込まれるため、上部筺体２０１を１８０度の開き角度まで開くことができる。
１８０度に開かれたとき、制止部材３０６の下部筺体２０２内部への移動に伴い、連結部材４１２も図５（ｃ）の左方に移動し、したがってセンサ４１３も左方へ移動する。センサ４１３は、センサ移動領域４１４内での自己の位置を測定する。回動制限部１５０は、センサ４１３の位置測定により開き角度が１８０度であるか否かを判断し、開き角度が１８０度になったと判断したとき、制御部１９０にその旨を伝達する。
【００２６】
情報記憶部１６０は、RAM（Random Access Memory）およびROM（Read Only Memory）で実現され、アドレス帳や受信メールだけでなく、外部機器のコマンド情報、メニュ、および外部機器に対する一括送信コマンドの情報等を記憶している。
外部機器のコマンド情報とは、外部機器の遠隔操作情報であり、テレビ等の外部機器に対する電源設定、チャネル設定等を指示するコマンドの信号に関する情報である。外部機器のコマンド情報は、外部機器のコマンド情報を提供するWebサーバから、制御部１９０の指示により通信部１１０を介してダウンロードされ、情報記憶部１６０に記憶される。
【００２７】
図７は、外部機器のコマンド情報を記載したコマンド情報表の一例を示す図である。
コマンド情報表７０１には、外部機器の識別する機器名６１１、遠隔操作のコマンドの信号であるコマンド信号６１２、およびコマンド信号と対応する操作部１２０の操作キー６１３が登録されている。
例えば、テレビが遠隔操作対象のとき、外部機器電源キー１２２が押下されると、コマンド情報表７０１からテレビの電源コマンド信号が制御部１９０によって読み出され、遠隔送信部１７０を通じてテレビに送信される。
【００２８】
なお、ダウンロードされるコマンド情報は、当該コマンド情報の外部機器がコマンド情報表７０１に既に登録されているとき上書きされ、未登録のとき、コマンド情報表７０１に新たな外部機器として追加される。
上記ダウンロードにより、新しい機種の外部機器でも容易に遠隔操作の対象とすることができる。なお、上記コマンド情報表７０１には、機器名を例えば単にテレビとして説明したが、テレビに加えて、メーカ名、型番、機種名も含むようにし、テレビの複数のメーカ製品あるいは機種に対応できるようにしてもよい。
【００２９】
情報記憶部１６０に記憶されるメニュには、設定メニュと遠隔操作モードメニュとが含まれる。
図８は、上記メニュの一例を示す図である。
これらのメニュは制御部１９０により情報記憶部１６０から読み出され、表示部１３０に表示される。
【００３０】
図８の設定メニュ８０１は、各種の設定を行うためのメニュであり、同メニュにおいて項目１の遠隔操作モード設定が選択されたとき、あるいは携帯電話機の開き角度が１８０度になったとき、遠隔操作モードメニュ８０２が表示される。
また、外部機器の一括送信コマンドの情報は、複数の外部機器に対するコマンドを組として登録した情報であり、一括送信コマンド表に記載される。一括送信コマンド表は、制御部１９０によって作成、参照される。
【００３１】
図９は、一括送信コマンド表の一例を示す図である。
一括送信コマンド表９０１には、おはようセットとおやすみセットの２組が登録されている。例えば、おはようセットが実行されると、テレビとクーラーとに対してそれぞれの電源コマンド信号が送信される。
遠隔送信部１７０は、制御部１９０による制御の下で、外部機器に対し、遠隔操作のためのコマンド信号の送信を行なう。遠隔送信部１７０は、例えば赤外線の発光素子と受光素子で実現され、IrDA規格に基づいて外部機器に対し赤外線による送信を行なう。遠隔送信部１７０は、制御部１９０から伝達された、外部機器２００の電源の設定、チャネル設定等のコマンド信号を赤外線に搬送し、外部機器２００に送信する。
【００３２】
制御部１９０は、上記構成各部の制御を行なう。
制御部１９０が制御する構成各部のうち、通信部１１０から着信要求、Web情報、受信メール等の復調信号を受け取ると、受け取った信号に応じた処理を行なう。例えば、受け取った信号が着信要求のときは、着信要求の旨を表示部１３０に表示し、情報記憶部１６０にある着信メロディの信号を音声処理部１４０に伝達し、音声出力させる。また、ダウンロードされたWeb情報を受け取ったとき、表示部１３０に表示し、さらに、それが外部機器のコマンド情報であれば情報記憶部１６０のコマンド情報表７０１を設定または更新する。また、通信部１１０に対して、発信要求、Web情報のダウンロードの指示、あるいは送信メール等の信号を伝達し、基地局に送信させる。
【００３３】
また、音声処理部１４０とは音声信号の授受を行なう。例えば、着信要求があったとき、着信メロディを音声処理部１４０に伝達して音声出力させ、また、音声処理部１４０から伝達された音声の録音を行う。
制御部１９０は、操作部１２０からユーザによるキー操作を受け付けたことが伝達されると、当該キー操作に対応した処理を行なう。例えば、電話番号の入力操作が行われ、通話キー１２４が押下されると、通信部１１０にその電話番号を通話先とする発信要求の信号を伝達する。
【００３４】
制御部１９０は、また、携帯電話機のモードの制御を行う。携帯電話機が扱うモードには、通常モードと遠隔操作モードとがある。
通常モードは、携帯電話機の通常の機能である通話等を行うモードであり、遠隔操作モードは、外部機器の遠隔操作を行うモードである。
携帯電話機の電源オンの設定が行われたとき、制御部１９０は携帯電話機を通常モードに設定し、待ち受け画面を表示部１３０に表示する。待ち受け画面において、ユーザにより設定メニュキー１２１が押下されると、制御部１９０は操作部１２０からその旨の情報を受け取り、図８の設定メニュ８０１を表示部１３０に表示する。
【００３５】
表示部１３０に表示されている設定メニュ８０１はどれか一つの項目が選択される。遠隔操作モードメニュ８０２が始めに表示されるとき、項目１が選択された状態であり、反転表示（不図示）される。他の項目の選択は十字カーソル１２３の上下キーにより行なうことができる。そして、決定キー１２６が押下されると、選択されている項目の実行を行なう。
【００３６】
遠隔操作モードメニュ８０２の項目１の遠隔操作モード設定は、外部機器２００に対する遠隔操作を行うときに選択される。この選択、実行指示がされると、制御部１９０は、携帯電話機を、遠隔操作の指示を操作部１２０を通じて受け付ける遠隔操作モードに設定する。
また、項目２のコマンド情報表編集は、コマンド情報表７０１の編集（修正等）を行うときに、また項目３の一括送信コマンド表編集は、一括送信コマンド表９０１の編集を行うときに選択される。これらの編集の方法は、一般的な表編集の方法と同様である。
【００３７】
遠隔操作モードは、また、開き角度が１８０度になり、回動制限部１５０からその旨が伝達されたとき、制御部１９０により設定される。
遠隔操作モードに設定されると、制御部１９０は表示部１３０に遠隔操作モードメニュ８０２を表示する。遠隔操作モードメニュ８０２において、どれか一つの項目が選択される。遠隔操作モードメニュ８０２が始めに表示されるとき、項目１のテレビが選択された状態にあり、反転表示（不図示）される。他の項目の選択は十字カーソル１２３の上下キーにより行なうことができる。
【００３８】
選択された項目が、外部機器、例えば項目１のテレビである場合、制御部１９０は,
ユーザによるキー操作が十字カーソル１２３上下キー以外のキー操作のとき、図７のコマンド情報表７０１のテレビの操作キーに該当するキー操作があるか否かチェックし、あれば対応するコマンド信号を読み出して、その信号を遠隔送信部１７０を通じて当該テレビに送信する。
【００３９】
遠隔操作モードメニュ８０２において、選択された項目が外部機器以外である項目７乃至項目９のいずれかのとき、さらに決定キー１２６が押下されると、当該項目が実行される。
例えば、項目７のおはようセットが選択され、決定キー１２６が押下されると、制御部１９０は操作部１２０からその旨の情報を受け、図９の一括送信コマンド表９０１におはようセットの項目があるか否かチェックし、あれば対応付けられて登録されているコマンド信号をすべて一括し、遠隔送信部１７０を通じて送信する。
【００４０】
図１０は、上記項目７のおはようセットとして登録されたコマンド信号を一括して送信する様子を示す図である。おはようセットを実行すると、テレビ１００１向けの電源コマンド信号と、クーラー１００２向けの電源コマンド信号とが一括して送信される。
また、遠隔操作モードメニュ８０２において、項目９の通常モードに戻る、が選択され、決定キー１２６が押下されると、制御部１９０は操作部１２０からその旨の情報を受け、携帯電話機を通常モードに設定し、待ち受け画面を表示部１３０に表示する。
【００４１】
また、遠隔操作モードにおいて、着信要求があったとき、通信部１１０はその旨を制御部１９０に伝達い、制御部１９０は通常モードの場合と同様に、着信メッセージを表示部１３０に表示し、着信メロディを音声処理部１４０に出力させる。
着信要求がある間にユーザにより通話キーが押下されたとき、制御部１９０は操作部１２０からその旨の情報を受け取り、通信制御部１１０に通話の処理を行なわせる。通話が終了したとき、遠隔操作モードの処理を再開する。
【００４２】
図１１は、本実施の形態での携帯電話機による遠隔操作の動作を示すフローチャートである。図１１を用いて、上記動作について説明する。
先ず、回動制限部１５０は、センサ４１４（図５）により開き角度を検出し（S１０）、１８０度になったか否かチェックする（S２０）。
１８０度でなければ、携帯電話機を通常モードに設定し、待ち受け画面を表示部１３０に表示する（S３０）。操作部１２０から伝達されたユーザ操作が設定メニュキー１２１の押下か否かチェックする（S３５）。肯定のとき、設定メニュ８０１を表示部１３０に表示する。設定メニュ８０１において、項目１の遠隔操作モードが選択され、決定キー１２６が押下されたか否かチェックし（S５０）、肯定のときS７０の処理に移行する。
【００４３】
また、設定メニュ８０１において、項目２のコマンド情報表編集、またはコマンド情報表編集が選択され、決定キー１２６が押下されたか否かチェックし（S６０）、肯定のとき、当該表の編集を行ない（S６５）、その終了後S５０の処理に戻る。また、否定のとき、S30に戻る。
また、S２０の判定において、１８０度であれば、回動制限部１５０は制御部１９０にその旨を伝達する。そして、制御部１９０は、携帯電話機を遠隔操作モードに設定し、遠隔操作モードメニュ８０２を表示部１３０に表示し、ユーザの指示を待つ。
【００４４】
遠隔操作モードにおいて、通信基地局から着信要求があったとき（S７５）、制御部１９０は通信部１１０からその旨の情報を受け取り、通常モードの場合と同様に、着信メッセージを表示部１３０に表示し、着信メロディを音声処理部１４０に出力させる。
さらに、着信要求がある間にユーザにより通話キーが押下されたとき、制御部１９０は操作部１２０からその旨の情報を受け取り、通信制御部１１０に通話の処理を行なわせる（S８０）。通話が終了したとき、遠隔操作モードの処理を再開する。
【００４５】
遠隔操作モードメニュ８０２において、項目９の通常モードに戻る、が選択され、決定キー１２６が押下されたか否かチェックし（S９０）、肯定のときS３０の処理に移行する。
次に、制御部１９０は、操作部１２０から伝達されたキー操作が十字カーソル１２３の上下キーの操作であるかチェックし、肯定ならメニュ項目の選択を当該操作に対応させて変更する。
【００４６】
外部機器のメニュ項目が選択されているとき、制御部１９０は操作部１２０から伝達されたキー操作が遠隔操作の指示のためのキー操作か否かをコマンド情報表７０１に基づいてチェックする（S９５）。遠隔操作の指示のとき、コマンド情報表７０１の該当キーに対応するコマンド信号を遠隔送信部１７０を通じて送信する（S１００）。あるいは、選択された項目が一括送信コマンド表９０１に登録されているセット名であるとき、決定キー１２６が押下されると（S９５）、当該セット名の送信コマンドがすべて送信される（S１００）。
【００４７】
例えば、項目７のおはようセットが選択され、決定キー１２６が押下されると、制御部１９０は操作部１２０からその旨の情報を受け、図９の一括送信コマンド表９０１におはようセットの項目があるか否かチェックし、あれば対応付けられて登録されているコマンド信号をすべて一括し、遠隔送信部１７０を通じて送信する。
そして、ユーザの次の指示を待つためS８０に移行する。
【００４８】
なお、本発明を上記の実施の形態に基づいて説明してきたが、本発明は上記の実施の形態に限定されないのはもちろんである。以下のような場合も本発明に含まれる。
本発明は、実施の形態では携帯電話機として説明したが、携帯電話機に限定されないのはもちろんであり、他の携帯端末、例えばPDA（Personal Digital Assistant）にも適用できる。
【００４９】
また、遠隔操作の対象となる外部機器は、受信できる機器である必要があり、本実施の形態では、遠隔操作対象の外部機器に関しては、赤外線で送信されたコマンド信号を受信する機器として、特に信号において外部機器名の指定はしなかった。これを、例えばテレビ、コンポなどを情報記憶部１６０に識別記号で登録しておき、遠隔操作のときに外部機器の識別記号を送信信号に含めるようにしてもよい。
【００５０】
また、他の通信規格、例えばBlue Tooth規格により遠隔制御するようにしてもよい。
本発明の方法を、コンピュータシステムを用いて実現するためのコンピュータプログラムであるとしてもよいし、前記プログラムを表すデジタル信号であるとしてもよい。
また、本発明は、前記プログラム又は前記デジタル信号を記録したコンピュータ読取り可能な記録媒体、例えば半導体メモリ等であるとしてもよい。
【００５１】
また、本発明は、電気通信回線、無線又は有線通信回線、若しくはインターネットに代表されるネットワーク等を経由して伝送される前記コンピュータプログラム又は前記デジタル信号であるとしてもよい。
【産業上の利用可能性】
【００５２】
本発明に係る携帯電話機は、家電製品の多機種制御用リモートコントローラとして活用される。
【図面の簡単な説明】
【００５３】
【図１】本発明に係る携帯電話機の一実施の形態のブロック図である。
【図２】上記実施の形態の携帯電話機を開いた状態での正面図である。
【図３】上記実施の形態の折り畳んだ状態での携帯電話機の外観の斜視図である。
【図４】上記実施の形態の携帯電話機の側面図である。
【図５】上記実施の形態の携帯電話機の１８０度まで回動可能とする機構を示す断面図である。
【図６】上記実施の形態の携帯電話機の下部筺体の内部機構を示す斜視図である。
【図７】上記実施の形態のコマンド情報表の一例を示す図である。
【図８】上記実施の形態の設定メニュと遠隔操作モードメニュの一例を示す図である。
【図９】上記実施の形態の一括送信コマンド表の一例を示す図である。
【図１０】上記実施の形態の一括送信コマンドによる送信の一例を示す図である。
【図１１】上記実施の形態の遠隔制御の動作を示すフローチャートである。
【符号の説明】
【００５４】
１１０  通信部
１１１  アンテナ
１２０  操作部
１２１  設定メニュキー
１２２  外部機器電源キー
１２３  十字カーソル
１２４  通話キー
１２５  テンキー
１２６  決定キー
１３０  表示部
１４０  音声処理部
１４１  マイク（送話部）
１４２  スピーカ（受話部）
１５０  回動制限部
１６０  情報記憶部
１７０  遠隔送信部
１９０  制御部
２００  外部機器
２０１  上部筺体
２０２  下部筺体
３０５  スライドスイッチ
３０６  制止部材
２０３  ヒンジ
３０８  下部筺体のヒンジ側端面
３０９  上部筺体のヒンジ側端面
４０５  押動部材
４０７  第2制止部材
４０８  回転軸
４０９  被押動部材
４１０  バネ
４１１  支持壁
４１３  センサ
４１４  センサ移動領域
４１６  第2バネ
４２０  貫通部
７０１  コマンド情報表
８０１  設定メニュ
８０２  遠隔操作モードメニュ
９０１  一括送信コマンド表
１００１  テレビ
１００２  クーラー
【図１】
2005333563.tif 000003
【図２】
2005333563.tif 000004
【図３】
2005333563.tif 000005
【図４】
2005333563.tif 000006
【図５】
2005333563.tif 000007
【図６】
2005333563.tif 000008
【図７】
2005333563.tif 000009
【図８】
2005333563.tif 000010
【図９】
2005333563.tif 000011
【図１０】
2005333563.tif 000012
【図１１】
2005333563.tif 000013